(57)【要約】【課題】    簡便で設置の作業性が良い貯槽用ジャッキ装置と、このジャッキ装置を使用して天井が低く狭くて暗い作業空間内で底板や基礎、或いは浮屋根の修復作業を安全かつ作業性良く行うことができる浮屋根式貯槽の工事施工法を提供する。【解決手段】    この発明に係る貯槽用ジャッキ装置１１は、支持台７と、この支持台７の上部に取付ける外筒８と、この外筒内に設置するジャッキ１０と、このジャッキ１０の上部に取付け上記外筒内をスライドして上下動する差替え構造の内筒９とでジャッキ装置１１を形成したことを特徴とする。【選択図】  図１
2010127046.tif 000002
【特許請求の範囲】
【請求項１】
支持台と、この支持台の上部に取付ける外筒と、この外筒内に設置するジャッキと、このジャッキの上部に取付け上記外筒内をスライドして上下動する差替え構造の内筒とでジャッキ装置を形成したことを特徴とする貯槽用ジャッキ装置。
【請求項２】
請求項１記載のジャッキ装置の単数又は複数台を、設置時に車輪が離陸する移送台車に取付けたことを特徴とする貯槽用ジャッキ装置。
【請求項３】
請求項１又は２記載の貯槽用ジャッキ装置を浮屋根式貯槽の浮屋根下部の所定位置に設置し、デッキサポートを引抜き、その近傍の底板や基礎、或いは浮屋根の取替えや修復などの工事施工をすることを特徴とする浮屋根式貯槽の工事施工法。
【発明の詳細な説明】
【技術分野】
【０００１】
この発明は貯槽用ジャッキ装置と、このジャッキ装置を使用して浮屋根式貯槽の底板や基礎、或いは浮屋根などを部分的、若しくは全体にわたって取替えや修復などの工事施工を行う浮屋根式貯槽の工事施工法に関するものである。
【背景技術】
【０００２】
浮屋根式貯槽は、底板に腐食や損傷が生じたり基礎が沈下した場合や、浮屋根が変形などした場合に、浮屋根を底板上の所定高さに保持した状態で、底板や基礎、或いは浮屋根などの部分又は全体の取替えや修復などの工事施工を行っている。
【０００３】
従来の特公昭４３−１７８７２号「浮屋根タンクにおける浮屋根組立工法」は、浮屋根下部へ送風機による空気を送入し浮屋根を浮揚させた後に、管状支柱の仮サポートを設置し浮屋根を支持し、従来の多数の架台を省略する組立工法である。
【０００４】
従来の特公平１−２６９４６号「浮屋根式タンクの浮屋根の改造方法」は、タンク内に水を注入し浮屋根を浮上させた後に、その上で上部デッキを組立てる方法の事例である。
【０００５】
従来の特公昭５３−４０９７０号「浮屋根式貯槽の浮屋根組立工法」は、浮屋根を底板上で組立てたのち、上端にワイヤーのガイドローラを取付けたガイドポストを配列し浮屋根を通貫させ、浮屋根を所定高さ位置まで吊上げる工法である。
【０００６】
従来の特許第３５１６２１５号「二重殻貯槽内槽底板の施工法とその昇降装置」は、内槽底板に貫通口を設け、ポーストを貫通させて、このポーストに設けた昇降装置によって底板を昇降する施工法である。
【０００７】
浮屋根式貯槽の底板取替えや基礎修復などの工事施工を行う従来の工事施工法の事例を、図５及び図６に基づいて説明する。図５は、浮屋根式貯槽の底板２を取替える状況を説明する平面図、図６は、図５の部分を示す側面説明図である。
図５に示すように、２aは底板取替部でこの底板取替部２ａに位置する浮屋根の支柱、つまりデッキサポート３を取外すために、デッキサポート３近傍の必要箇所に仮支持装置１００を設置してデッキの荷重を支える。必要に応じてこの底板取替部２aの箇所を順次移動し、仮支持装置１００を設置してデッキサポート３を取り外しさらに複数の仮支持材１００Ａを設置して底板の取替えや基礎の修復、或いは浮屋根の補修を行う。
【０００８】
図６に示すように、デッキサポート３は、浮屋根１のスリーブ管５を貫通してピン６にて固定され底板２上のベースプレート４上に着地している。
また、仮支持装置１００は、ジャッキ１０１、ジャッキフランジ１０１Ｆ、サポート１０２、サポートフランジ１０２Ｆなどを備えている。
底板取替部２ａに位置するデッキサポート３を取り外すためには、このデッキサポート３が支えている浮屋根デッキ１の荷重を一時的に支持する仮支持装置１００を設置することが必要であって、デッキサポート３を引き抜くためには、このデッキサポート３の上部に位置するスリーブ管５のピン６を引抜く必要がある。この際に、仮支持装置１００のジャッキ１０１でサポート１０２を介してデッキ１を少し浮く程度に押上げなければピン６は引き抜くことができない。
この作業手順は、図６に示すように、（1）仮支持装置１００を設置して浮屋根を少し持ち上げ、（2）デッキサポート３のピン６を引き抜き、（3）デッキサポート３を引抜き取り外し、（4）複数の仮支持材１００Ａを設置するものである。
【０００９】
この従来の浮屋根式貯槽の底板取替えや基礎修復、或いは浮屋根の工事施工法は、浮屋根デッキ１の下の狭い空間内で、油圧ジャッキや調整管等よりなる重量の大きい仮支持装置１００を所定の場所まで一つずつ持ち運び、ジャッキフランジ１０１Ｆとサポートフランジ１０２Ｆを接続し設置していた。
殊に、浮屋根の重量が大きいダブルデッキの場合には、浮屋根の荷重を支えているデッキサポート３一本当たり周辺近傍の複数箇所に仮支持装置１００を設置するか、或いは大型で重量の大きい強力な仮支持装置１００を設置して浮屋根の重い荷重を支える必要が生じた。
【００１０】
【特許文献１】特公昭４３−１７８７２号
【特許文献２】特公平１−２６９４６号
【特許文献３】特公昭５３−４０９７０号
【特許文献４】特許第３５１６２１５号
【発明の開示】
【発明が解決しようとする課題】
【００１１】
従来の特公昭４３−１７８７２号「浮屋根タンクにおける浮屋根組立工法」は、浮屋根全体を空気圧で浮揚させて支持する組立工法であって、底板や基礎、或いは浮屋根の下部を補修する工法にはこのような空気圧で浮屋根を支持する方法は採用することはできない。
【００１２】
従来の特公平１−２６９４６号「浮屋根式タンクの浮屋根の改造方法」は、タンク内に水を注入し浮屋根を浮上させて上部デッキを組立てる方法であって、底板や基礎、或いは浮屋根の下部を補修する工法には水を張って浮屋根を支持する方法は全く適用することができない。
【００１３】
従来の特公昭５３−４０９７０号「浮屋根式貯槽の浮屋根組立工法」は、浮屋根を底板上で組立てたのち浮屋根を所定高さ位置まで吊上げる工法であって、底板上に設置し浮屋根を貫通して設けたガイドポストを使用した吊上装置は、ガイドポスト位置の底板や基礎、或いは浮屋根の下部を補修することができない。
【００１４】
従来の特許第３５１６２１５号「二重殻貯槽内槽底板の施工法とその昇降装置」は、内槽底板に設けた貫通口にポーストを貫通させ昇降装置によって底板を昇降する施工法であるが、このポースト設置箇所の底板や基礎、或いは浮屋根の下部を補修することはできない。
【００１５】
図５及び図６に例示する従来の浮屋根式貯槽の工事施工法は、底板取替部２ａを施工する際に、この底板取替部２ａに位置する浮屋根の支柱、つまりデッキサポート３を一次的に取外し撤去し、さらに仮支持材１００Ａを設置するために、浮屋根デッキ１を支持する仮支持装置１００の設置が大変であった。
つまり、デッキサポート３を取外すためには、デッキサポート３上部に位置するスリーブ管５のピン６を引抜く必要があり、仮支持装置１００のジャッキ１０１でサポート１０２を介してデッキ１を少し浮き上がる程度に押上げなければピン６を引き抜くことができない。
この際に、ジャッキフランジ１０１Ｆとサポートフランジ１０２Ｆとの接続が難しく取付けの段取りが大変であった。また、一つ一つ仮支持装置１００を組立てセットするため、ジャッキが利き始めるまでの間は不安定であり、ジャッキ１０１とサポート１０２を垂直に保持して荷重を支えるのが難しく危険であった。
【００１６】
この油圧のジャッキ１０１や調整管のサポート１０２等よりなる仮支持装置１００は、重量もあるため持ち運びも大変で、浮屋根デッキ下面天井の高さが低く狭い作業空間内を、所定の場所まで一つずつ運びセットする段取りの作業が大変であった。
殊に、浮屋根がダブルデッキの場合には屋根の重量が大きいため、浮屋根支柱一本当たり周囲の複数箇所に仮支持装置１００をセットするか、或いは大型で重量の大きい強力な仮支持装置１００を使用する必要が生じ、設置の作業性が良く簡便な支持装置が望まれていた。
【００１７】
この発明は、前述の従来工法における問題点を解決するためになされたもので、簡便で設置の作業性が良い貯槽用ジャッキ装置と、このジャッキ装置を使用して天井が低く狭くて暗い作業空間内で底板や基礎、或いは浮屋根の修復作業を安全かつ作業性良く行うことができる浮屋根式貯槽の工事施工法を提供することにある。
【課題を解決するための手段】
【００１８】
この発明に係る貯槽用ジャッキ装置は、支持台と、この支持台の上部に取付ける外筒と、この外筒内に設置するジャッキと、このジャッキの上部に取付け上記外筒内をスライドして上下動する差替え構造の内筒とでジャッキ装置を形成したことを特徴とする。
【００１９】
また、貯槽用ジャッキ装置は、上記ジャッキ装置の単数又は複数台を、設置時に車輪が離陸する移送台車に取付けたことを特徴とする。
【００２０】
さらに、上記貯槽用ジャッキ装置を浮屋根式貯槽の浮屋根下部の所定位置に設置し、デッキサポートを引抜き、その近傍の底板や基礎、或いは浮屋根の取替えや修復などの工事施工をすることを特徴とする浮屋根式貯槽の工事施工法である。
【発明の効果】
【００２１】
この発明に係る貯槽用ジャッキ装置は、支持台と、この支持台の上部に取付ける外筒と、この外筒内に設置するジャッキと、このジャッキの上部に取付け上記外筒内をスライドして上下動する差替え構造の内筒とでジャッキ装置を形成したので、スライド構造の内外筒体状の調整管とジャッキを一体とすることで、組立解体が容易で天井が低く狭くて暗い作業空間内での設置がやり易く、差替構造の内筒を差替変更することによって高さ調整が素早く出来、セット時に安定性が良く安全性が向上し、稼動時に荷重支持の安定性を確保することができる。
【００２２】
また、貯槽用ジャッキ装置は、上記ジャッキ装置の単数又は複数台を、設置時に車輪が離陸する移送台車に取付けたので、重量が大であっても簡単に移動、設置が容易となり、狭い場所でも作業性が良い。
【００２３】
さらに、上記貯槽用ジャッキ装置を浮屋根式貯槽の浮屋根下部の所定位置に設置し、デッキサポートを引抜き、その近傍の底板や基礎、或いは浮屋根の取替えや修復などの工事施工をする浮屋根式貯槽の工事施工法は、底板と浮屋根の間の天井が低く狭くて暗い作業空間内でも作業性が良く、工期短縮が図れるため、工事施工の経済性及び安全性が向上する。
【発明を実施するための最良の形態】
【００２４】
この発明に係る貯槽用ジャッキ装置と、このジャッキ装置を使用して浮屋根式貯槽の底板取替えや基礎修復などの工事施工を行う状況を、図１乃至図４に基づいて説明する。
図１に貯槽用のジャッキ装置１１の実施形態例を示し、図２にジャッキ装置を取付けた移送台車１２の実施形態例を示す。図３に移送台車１２に載置したジャッキ装置を浮屋根下部の底板上に設置する状況を示す。図４は２台のジャッキ装置からなるジャッキ装置を備えた移送台車１２の実施形態例を示す。
【００２５】
図１に示すように、貯蔵液を抜いた浮屋根式貯槽の浮屋根を支持する支柱、つまりデッキサポート３は、浮屋根１のスリーブ管５を貫通してピン６にて固定され底板２上のベースプレート４上に着地している。
２aは底板取替部で、この底板取替部２a近傍の浮屋根デッキ１の荷重を支えて、かつこの位置のデッキサポート３を取外すために、このデッキサポート３近傍の底板２上の必要箇所にジャッキ装置１１を設置する。このジャッキ装置１１の位置は、浮屋根デッキ１のトラス補強材の場所に合わせて浮屋根の荷重を確りと受けるようにする。
ジャッキ装置１１は、ジャッキ１０を安定状態に設置するための支持台７と、この支持台フランジ７Ｆに接続する外筒フランジ８Ｆを有する外筒８と、この外筒８の内部に設置し上端縁にジャッキフランジ１０Ｆを有するジャッキ１０と、このジャッキフランジ１０Ｆの上部に載置する内筒フランジ９Ｆを有する差替え構造の内筒９とで一体化させ、外筒８の内部に設置したジャッキ１０の作動によって内筒９がスライドして上下に動くように形成する。
なお、図示例では、支持板７Ａと支持台フランジ７Ｆを有する円筒状の支持台７に形成したが、この支持台７は、平板材やジャッキ下部の台座などの安置性の良い部材で形成しても良い。
また、図示省略したが、外筒８の内部に２点以上をガイドするごとく内筒９に鍔を遊嵌状に設けると、内筒９が垂直にガイドされて上下動し、荷重伝達がスムーズになる。更に、内筒９の外れも防止でき安全作業に寄与する。
このように、ジャッキ装置１１は支持台７と外筒８とジャッキ１０と内筒９とが一体化され、外筒８の内部にジャッキ１０が固定され、かつこのジャッキ１０上端縁に載置された内筒９が外筒８にガイドされているため、ジャッキが利き始めるまで安定し垂直に保持するのが容易かつ安全である。
【００２６】
内筒９は、長さを変えて（９ａ，９ｂ，・・・など）差替えが出来る構造にして、ジャッキ１０の上下ストロークの範囲を超える上下高さに対応できるように形成する。例えば、底板２が外周近傍では低く中心近傍では高くなっていて浮屋根下面との距離が異なる場合などに、外周近傍用には長い内筒９ａを用意し、中心近傍用には短い内筒９ｂを用意しておくと、上記ジャッキ１０の上下ストロークの範囲を超える上下高さの変化に対応して差替えて使用することができる。
また、内筒９の上端縁に設置する荷重分散材９Ａは、広い接触面積で浮屋根の下面を平均に分散支持し、浮屋根本体を撓ませたり損傷などしないように形成する。
【００２７】
ジャッキ装置１１は、あらかじめ広い場所で、支持台７上の外筒８内部にジャッキ１０を設置して支持台フランジ７Ｆと外筒フランジ８Ｆを接続し、外筒８内へ内筒９を差込んでジャッキフランジ１０Ｆと内筒フランジ９Ｆを合致させて一体状に組立てることにより、天井が低く狭くて暗い作業空間内への搬入や設置作業がやり易く、セット時の安定性が良く安全性を確保することができる。なお、ジャッキ１０は、液体駆動方式の手動の油圧式機構に限らず、空気圧力式、電動式などの機構のもの、或いはネジ方式機構のものを状況に応じて適宜採用する。
【００２８】
上記ジャッキ装置１１の支持台７の支持板７Ａを底板２上に確りと面接触させ、内筒９上端縁の荷重分散材９Ａを面接触させて、浮屋根１の垂直荷重を平均に支える。
このジャッキ装置１１を使用して、図１の（1）〜（3）に示すように、（1）浮屋根デッキ１を浮かせる程度に押し上げ、（2）デッキサポート３上部スリーブ管５のピン６を水平方向に抜き、（3）サポート３を上方に引き抜き、さらに必要に応じて仮支持材の設置（図示せず）の作業を行う。
次いで、このジャッキ装置１１で浮屋根デッキ１の荷重を支持した状態で、下方に位置する底板取替部２aを取替施工し、必要に応じてその下部の基礎の修復を行う。
ジャッキ装置１１を次の底板取替部２a箇所へ順次移設し、底板２の取替えや基礎の修復、浮屋根の補修などを行う。
【００２９】
図２は、この発明に係る貯槽用のジャッキ装置１１を取付けた移送台車１２の実施形態例で、工事施工を行う浮屋根下部の底板上に設置した状態を示す側面説明図である。
移送台車１２は、例えば２輪の車輪１３と把持部１４とを有し、接続材１５でジャッキ装置を取付け、さらに台車荷台１２Ａの上に油圧機１６、レバー１７などを載置して形成する。
移送台車１２でジャッキ装置１１を移送して設置した後に、図１と同様に、支持台７、外筒８、内筒９、ジャッキ１０からなるジャッキ装置１１を使用して、図２の（1）〜（3）に示すように、（1）浮屋根１の押し上げ、（2）ピン６抜き、（3）サポート３の引抜き、さらに必要に応じて仮支持材の設置（図示せず）の作業を行う。
移送台車１２でジャッキ装置１１を次の底板取替部２a箇所へ順次移動し、底板２の取替えや基礎の修復、浮屋根の補修などの工事施工を作業性良く行う。
【００３０】
図３は、図２に示すジャッキ装置１１を取付けた移送台車１２を、浮屋根１の下部の底板２の上を移動して設置する状況を示す側面説明図である。
浮屋根１と底板２の空間内の所定箇所に、次の（1）〜（3）に示すようにジャッキ装置１１を備えた移送台車１２を移動してジャッキ装置１１を設置して使用する。
（1）底板２に車輪１３を接触させて移送台車１２を移動する。
（2）把持部１４を押してジャッキ装置１１を起こし、車輪１３を離陸させ、支持板７Ａを底板２上に面接触させて設置する。
（3）油圧機１６のレバー１７を操作してジャッキ１０を稼動する。
このように、移送台車１２に取付けたジャッキ装置１１は重量が大であっても、浮屋根デッキ下面天井の高さが低く狭い作業空間内を所定の場所まで楽に移送することができ、セットする作業も簡単に行なうことができる。また、必要に応じて移送台車１２に照明を設置しておけば（図示せず）、暗い作業場所でも安全に能率良く作業をすることができる。
【００３１】
図４は、２台のジャッキ装置１１を移送台車１２に取付けた実施形態例を示す斜視説明図である。
支持台７、外筒８、内筒９、ジャッキ１０からなる２台のジャッキ装置１１を、共通の支持台プレート１８の上に立設して移送台車１２に取付ける。
この２台のジャッキ装置１１の上端部に荷重分散材９Ｂを設置する。
この荷重分散材９Ｂは、例えば井桁状に枠組みした広い面積の部材で、平均に浮屋根の荷重を支持することができるように形成する。つまり、浮屋根デッキ１が撓むことなく荷重を平均に支えることができるため、浮屋根デッキ１の水平確保、撓みの修正、肌合わせ修復などの施工がやり易くなる。
移送台車１２に２台取付けたジャッキ装置１１は、浮屋根デッキ１の重量が大きいダブルデッキなどの場合に、ジャッキ装置１１の設置作業を能率良く行うことができ、重いダブルデッキ構造の浮屋根を平均に楽に支持することができる。なお、必要に応じて２台以上の複数台のジャッキ装置１１を取付けることも可能である。
【産業上の利用可能性】
【００３２】
貯槽用ジャッキ装置は、貯槽など種々の構築物について、底板や基礎の取替えや修復、或いはデッキの取替えや修復、ルーフドレン等付属設備の修理などを行う時のジャッキ装置として広く適用することができる。
【図面の簡単な説明】
【００３３】
【図１】この発明に係る貯槽用ジャッキ装置の実施形態例で、工事施工を行う浮屋根下部の底板上に設置した状態を示す側面説明図である。
【図２】この発明に係る貯槽用ジャッキ装置を移送台車に取付けた実施形態例で、工事施工を行う浮屋根下部の底板上に設置した状態を示す側面説明図である。
【図３】図２に示すジャッキ装置を取付けた移送台車を、工事施工を行う浮屋根下部の底板上に設置する状況を示す側面説明図である。
【図４】２台のジャッキ装置を備えた移送台車の実施形態例を示す斜視説明図である。
【図５】従来例で、浮屋根式貯槽の底板取替えや基礎修復などの工事施工を行う状況を示す平面説明図である。
【図６】図５の部分を示す側面図で、浮屋根のデッキサポートと従来の仮支持装置を示す説明図である。
【符号の説明】
【００３４】
１浮屋根デッキ        
２底板        
２ａ底板取替部
３デッキサポート        
４ベースプレート        
５スリーブ管        
６ピン        
７支持台        
７Ａ支持板        
７Ｆ支持台フランジ
８外筒        
８Ｆ外筒フランジ
９，９ａ，９ｂ内筒        
９Ｆ内筒フランジ        
９Ａ荷重分散材          
９Ｂ荷重分散材        
１０ジャッキ        
１０Ｆジャッキフランジ        
１１ジャッキ装置        
１２移送台車        
１３車輪        
１４把持部        
１５接続材        
１６油圧機        
１７レバー        
１８支持台プレート    
１００仮支持装置    
１００Ａ仮支持材    
１０１ジャッキ    
１０１Ｆジャッキフランジ    
１０２サポート    
１０２Ｆサポートフランジ      
【図１】
2010127046.tif 000003
【図２】
2010127046.tif 000004
【図３】
2010127046.tif 000005
【図４】
2010127046.tif 000006
【図５】
2010127046.tif 000007
【図６】
2010127046.tif 000008